(57)【要約】【課題】  レンズホルダのフォーカス方向への駆動を適正に行うこと。【解決手段】  対物レンズＯＬ付きレンズホルダ３がアクトベース４上のガイドシャフト５に移動可能に外嵌され、該レンズホルダ３の後端面に前端部を止着した弾性変位可能なフレキシブルケーブルＦが略Ｕ字状に弯曲されると共に、該フレキシブルケーブルＦの後端部がアクトベース４の後端板７に止着され、そのフレキシブルケーブルＦの前端部近傍をレンズホルダ３側に弯曲させて前側ループ部Ｆａが形成されており、レンズホルダ３をガイドシャフト５に沿ってフォーカス方向ａ，ｂとトラッキング方向とに駆動し、対物レンズＯＬの焦点をディスクＤに合わせ所定のトラックに追従させるようにしたレンズアクチュエータにおいて、フレキシブルケーブルＦの後端部近傍を後向きに弯曲させて後側ループ部Ｆｂが形成されている。【選択図】        図２
2005302173.tif 000002
【特許請求の範囲】
【請求項１】
フォーカスコイルとトラッキングコイルとを固着した対物レンズ付き
レンズホルダがアクトベース上のガイドシャフトに移動可能に外嵌され、該レンズホルダ
を間に挟んで一対のマグネットがアクトベースに固定され、該アクトベースの後端から互
いに所定間隔をおいて２枚の後端板が切り起こされ、レンズホルダの後端面に前端部を止
着した弾性変位可能なフレキシブルケーブルが略Ｕ字状に弯曲されると共に、該フレキシ
ブルケーブルの後端部が前記両後端板間の隙間を通って該両後端板に止着され、そのフレ
キシブルケーブルの前端部近傍をレンズホルダ側に弯曲させて前側ループ部が形成されて
おり、そのフレキシブルケーブルを介して各コイルに通電することにより、レンズホルダ
をガイドシャフトに沿ってフォーカス方向とトラッキング方向とに駆動し、対物レンズの
焦点をディスクに合わせ所定のトラックに追従させるようにしたレンズアクチュエータに
おいて、前記２枚の後端板に代えて、アクトベースの後端から切り起こした縦桁部と、該
縦桁部の先端から横方向に延びる横桁部とからなる１枚の後端板が用いられ、前記横桁部
の下端縁を後向きに折り曲げて略Ｌ字状突起部が形成されており、フレキシブルケーブル
の後端部を前記横桁部の後端面に止着することにより、該フレキシブルケーブルの後端部
近傍を前記略Ｌ字状突起部に沿って弯曲させて後側ループ部が形成されていることを特徴
とするレンズアクチュエータ。
【請求項２】
フォーカスコイルとトラッキングコイルとを固着した対物レンズ付き
レンズホルダがアクトベース上のガイドシャフトに移動可能に外嵌され、該レンズホルダ
を間に挟んで一対のマグネットがアクトベースに固定され、該アクトベースの後端から互
いに所定間隔をおいて２枚の後端板が切り起こされ、レンズホルダの後端面に前端部を止
着した弾性変位可能なフレキシブルケーブルが略Ｕ字状に弯曲されると共に、該フレキシ
ブルケーブルの後端部が前記両後端板間の隙間を通って該両後端板に止着され、そのフレ
キシブルケーブルの前端部近傍をレンズホルダ側に弯曲させて前側ループ部が形成されて
おり、そのフレキシブルケーブルを介して各コイルに通電することにより、レンズホルダ
をガイドシャフトに沿ってフォーカス方向とトラッキング方向とに駆動し、対物レンズの
焦点をディスクに合わせ所定のトラックに追従させるようにしたレンズアクチュエータに
おいて、前記２枚の後端板に代えて、アクトベースの後端から切り起こした縦桁部と、該
縦桁部の先端から横方向に延びる横桁部とからなる１枚の後端板が用いられ、前記横桁部
の下端縁を後向きに折り曲げて略Ｊ字状突起部が形成されると共に、該略Ｊ字状突起部の
先端面が円弧状に形成されており、フレキシブルケーブルの後端部を前記横桁部の後端面
に止着することにより、該フレキシブルケーブルの後端部近傍を前記略Ｊ字状突起部に沿
って弯曲させて後側ループ部が形成されていることを特徴とするレンズアクチュエータ。
【請求項３】
フォーカスコイルとトラッキングコイルとを固着した対物レンズ付き
レンズホルダがアクトベース上のガイドシャフトに移動可能に外嵌され、該レンズホルダ
を間に挟んで一対のマグネットがアクトベースに固定され、そのレンズホルダの後端面に
前端部を止着した弾性変位可能なフレキシブルケーブルが略Ｕ字状に弯曲されると共に、
該フレキシブルケーブルの後端部がアクトベースの後端板に止着され、そのフレキシブル
ケーブルの前端部近傍をレンズホルダ側に弯曲させて前側ループ部が形成されており、そ
のフレキシブルケーブルを介して各コイルに通電することにより、レンズホルダをガイド
シャフトに沿ってフォーカス方向とトラッキング方向とに駆動し、対物レンズの焦点をデ
ィスクに合わせ所定のトラックに追従させるようにしたレンズアクチュエータにおいて、
フレキシブルケーブルの後端部近傍を後向きに弯曲させて後側ループ部が形成されている
ことを特徴とするレンズアクチュエータ。
【請求項４】
前記後端板が、アクトベースの後端から切り起こした縦桁部と、該縦
桁部の先端から横方向に延びる横桁部とを有し、該横桁部の下端縁を後向きに折り曲げて
略Ｌ字状突起部が形成されており、フレキシブルケーブルの後端部を前記横桁部の後端面
に止着することにより、該フレキシブルケーブルの後端部近傍を前記略Ｌ字状突起部に沿
って弯曲させて後側ループ部が形成されていることを特徴とする請求項３に記載のレンズ
アクチュエータ。
【請求項５】
前記後端板が、アクトベースの後端から切り起こした縦桁部と、該縦
桁部の先端から横方向に延びる横桁部とを有し、該横桁部の下端縁を後向きに折り曲げて
略Ｊ字状突起部が形成されると共に、該略Ｊ字状突起部の先端面が円弧状に形成されてお
り、フレキシブルケーブルの後端部を前記横桁部の後端面に止着することにより、該フレ
キシブルケーブルの後端部近傍を前記略Ｊ字状突起部に沿って弯曲させて後側ループ部が
形成されていることを特徴とする請求項３に記載のレンズアクチュエータ。
【発明の詳細な説明】
【技術分野】
【０００１】
本発明は、例えばＤＶＤやＣＤなどのディスクプレーヤ用光ピックアップに用いるレン
ズアクチュエータに関する。
【背景技術】
【０００２】
従来、レンズアクチュエータの技術として特許文献１などの記載したものがあり、その
一例を図７〜図１０に基づいて説明すると、これは、フォーカスコイル１とトラッキング
コイル２とを固着した対物レンズＯＬ付きレンズホルダ３がアクトベース４上のガイドシ
ャフト５に移動可能に外嵌され、該レンズホルダ３を間に挟んで一対のマグネット６がア
クトベース４に固定され、該アクトベース４の後端から互いに所定間隔をおいて２枚の後
端板７が切り起こされ、レンズホルダ３の後端面に前端部を補強板８を介して止着した弾
性変位可能なフレキシブルケーブルＦが略Ｕ字状に弯曲されると共に、該フレキシブルケ
ーブルＦの後端部が前記両後端板７間の隙間αを通って該両後端板７の後端面に補強板８
を介して止着され、そのフレキシブルケーブルＦの前端部近傍をレンズホルダ３側に弯曲
させて前側ループ部Ｆａが形成されたものである。なお、９は光ピックアップ本体１０を
貫通してアクトベース４のねじ孔４ａに螺合する一対の角度調整ねじ、１１はアクトベー
ス４の挿通孔４ｂに挿通されて光ピックアップ本体１０に螺着された押さえねじ、１２は
該押さえねじ１１の頭部とアクトベース４との間に介在させたコイルばね、ＱＷＰはコリ
メータレンズ、Ｄはディスクである。
【０００３】
レンズアクチュエータの作用を説明すると、フレキシブルケーブルＦを介して各コイル
１，２に通電することにより励磁して、レンズホルダ３をガイドシャフト５に沿ってフォ
ーカス方向ａ，ｂとトラッキング方向ｃ，ｄとに駆動し、対物レンズＯＬの焦点をディス
クＤに合わせ所定のトラックに追従させる。
【０００４】
ここで、図１２の参考例に示すように、フレキシブルケーブルＦを略Ｕ字状に弯曲させ
ただけでは、レンズホルダ３をフォーカス方向ａ，ｂに沿って上昇させたとき〔同図（ａ
）参照〕と、下降させたとき〔同図（ｂ）参照〕とでは、そのフレキシブルケーブルＦの
全体が大きく弾性変位され、その弾性変位によってレンズホルダ３の後端部が上方に押し
上げられたり下方に引っ張られて上下にピッチング運動Ｐを起こし、そのピッチング運動
Ｐによって対物レンズＯＬの焦点をディスクＤに合わせる際の障害になる。
【０００５】
そこで、前述した従来例（図７〜図１０参照）では、図１１に示すように、フレキシブ
ルケーブルＦの前端部近傍をレンズホルダ３側に弯曲させて前側ループ部Ｆａを形成し、
これによって、レンズホルダ３をフォーカス方向ａ，ｂに沿って上昇させたときに〔図１
１（ａ）参照〕、前側ループ部Ｆａが拡径されると共に、該レンズホルダ３がフォーカス
方向ａ，ｂに沿って下降させたときに〔図１１（ｂ）参照〕、前側ループ部Ｆａが縮径さ
れることにより、その前側ループ部Ｆａがたわみ支点になって、フレキシブルケーブルＦ
の弾性変位を小さくすることが考えられている。
【特許文献１】特開平９−２８８８３４号公報
【発明の開示】
【発明が解決しようとする課題】
【０００６】
上記従来の構成では、前側ループ部ＦａによってフレキシブルケーブルＦの弾性変位を
小さくすることができるようになっているが、レンズホルダ３をフォーカス方向ａ，ｂに
沿って駆動したときに前側ループ部Ｆａが拡縮径され、その拡縮径による押圧力及び引張
力により、該レンズホルダ３の後端部が上下にピッチング運動Ｐを起こし、そのピッチン
グ運動Ｐによってレンズホルダ３のフォーカス方向ａ，ｂへの適正な駆動が阻害され、対
物レンズＯＬの焦点をディスクＤに合わせるのに時間がかかる。
【０００７】
本発明は、上記従来の欠点に鑑み、レンズホルダのフォーカス方向への駆動を適正に行
うことができるようにしたレンズアクチュエータを提供することを目的としている。
【課題を解決するための手段】
【０００８】
上記目的を達成するため、請求項１に記載の発明は、フォーカスコイルとトラッキング
コイルとを固着した対物レンズ付きレンズホルダがアクトベース上のガイドシャフトに移
動可能に外嵌され、該レンズホルダを間に挟んで一対のマグネットがアクトベースに固定
され、該アクトベースの後端から互いに所定間隔をおいて２枚の後端板が切り起こされ、
レンズホルダの後端面に前端部を止着した弾性変位可能なフレキシブルケーブルが略Ｕ字
状に弯曲されると共に、該フレキシブルケーブルの後端部が前記両後端板間の隙間を通っ
て該両後端板に止着され、そのフレキシブルケーブルの前端部近傍をレンズホルダ側に弯
曲させて前側ループ部が形成されており、そのフレキシブルケーブルを介して各コイルに
通電することにより、レンズホルダをガイドシャフトに沿ってフォーカス方向とトラッキ
ング方向とに駆動し、対物レンズの焦点をディスクに合わせ所定のトラックに追従させる
ようにしたレンズアクチュエータにおいて、前記２枚の後端板に代えて、アクトベースの
後端から切り起こした縦桁部と、該縦桁部の先端から横方向に延びる横桁部とからなる１
枚の後端板が用いられ、前記横桁部の下端縁を後向きに折り曲げて略Ｌ字状突起部が形成
されており、フレキシブルケーブルの後端部を前記横桁部の後端面に止着することにより
、該フレキシブルケーブルの後端部近傍を前記略Ｌ字状突起部に沿って弯曲させて後側ル
ープ部が形成されていることを特徴としている。
【０００９】
請求項２に記載の発明は、フォーカスコイルとトラッキングコイルとを固着した対物レ
ンズ付きレンズホルダがアクトベース上のガイドシャフトに移動可能に外嵌され、該レン
ズホルダを間に挟んで一対のマグネットがアクトベースに固定され、該アクトベースの後
端から互いに所定間隔をおいて２枚の後端板が切り起こされ、レンズホルダの後端面に前
端部を止着した弾性変位可能なフレキシブルケーブルが略Ｕ字状に弯曲されると共に、該
フレキシブルケーブルの後端部が前記両後端板間の隙間を通って該両後端板に止着され、
そのフレキシブルケーブルの前端部近傍をレンズホルダ側に弯曲させて前側ループ部が形
成されており、そのフレキシブルケーブルを介して各コイルに通電することにより、レン
ズホルダをガイドシャフトに沿ってフォーカス方向とトラッキング方向とに駆動し、対物
レンズの焦点をディスクに合わせ所定のトラックに追従させるようにしたレンズアクチュ
エータにおいて、前記２枚の後端板に代えて、アクトベースの後端から切り起こした縦桁
部と、該縦桁部の先端から横方向に延びる横桁部とからなる１枚の後端板が用いられ、前
記横桁部の下端縁を後向きに折り曲げて略Ｊ字状突起部が形成されると共に、該略Ｊ字状
突起部の先端面が円弧状に形成されており、フレキシブルケーブルの後端部を前記横桁部
の後端面に止着することにより、該フレキシブルケーブルの後端部近傍を前記略Ｊ字状突
起部に沿って弯曲させて後側ループ部が形成されていることを特徴としている。
【００１０】
請求項３に記載の発明は、フォーカスコイルとトラッキングコイルとを固着した対物レ
ンズ付きレンズホルダがアクトベース上のガイドシャフトに移動可能に外嵌され、該レン
ズホルダを間に挟んで一対のマグネットがアクトベースに固定され、そのレンズホルダの
後端面に前端部を止着した弾性変位可能なフレキシブルケーブルが略Ｕ字状に弯曲される
と共に、該フレキシブルケーブルの後端部がアクトベースの後端板に止着され、そのフレ
キシブルケーブルの前端部近傍をレンズホルダ側に弯曲させて前側ループ部が形成されて
おり、そのフレキシブルケーブルを介して各コイルに通電することにより、レンズホルダ
をガイドシャフトに沿ってフォーカス方向とトラッキング方向とに駆動し、対物レンズの
焦点をディスクに合わせ所定のトラックに追従させるようにしたレンズアクチュエータに
おいて、フレキシブルケーブルの後端部近傍を後向きに弯曲させて後側ループ部が形成さ
れていることを特徴としている。
【００１１】
請求項４に記載の発明は、請求項３に記載の発明において、前記後端板が、アクトベー
スの後端から切り起こした縦桁部と、該縦桁部の先端から横方向に延びる横桁部とを有し
、該横桁部の下端縁を後向きに折り曲げて略Ｌ字状突起部が形成されており、フレキシブ
ルケーブルの後端部を前記横桁部の後端面に止着することにより、該フレキシブルケーブ
ルの後端部近傍を前記略Ｌ字状突起部に沿って弯曲させて後側ループ部が形成されている
ことを特徴としている。
【００１２】
請求項５に記載の発明は、請求項３に記載の発明において、前記後端板が、アクトベー
スの後端から切り起こした縦桁部と、該縦桁部の先端から横方向に延びる横桁部とを有し
、該横桁部の下端縁を後向きに折り曲げて略Ｊ字状突起部が形成されると共に、該略Ｊ字
状突起部の先端面が円弧状に形成されており、フレキシブルケーブルの後端部を前記横桁
部の後端面に止着することにより、該フレキシブルケーブルの後端部近傍を前記略Ｊ字状
突起部に沿って弯曲させて後側ループ部が形成されていることを特徴としている。
【発明の効果】
【００１３】
請求項１に記載の発明は第１の実施の形態（図１〜図５参照）に対応するものであって
、これによれば、フレキシブルケーブルの両端部近傍に前側ループ部と後側ループ部とが
形成されているから、レンズホルダをフォーカス方向に沿って駆動したときに、その前後
両ループ部がたわみ支点になって、該フレキシブルケーブルの弾性変位を小さく抑えるこ
とができ、また、レンズホルダの駆動に応じて後側ループ部が拡縮径されることにより、
前側ループ部の拡縮径が従来に比べて格段に小さくなるので、従来のようにレンズホルダ
の後端部がピッチング運動を起こすことがなくなり、対物レンズの焦点をディスクに対し
て迅速に合わせることができる。しかも、後端板の横桁部の下端縁から後向きに略Ｌ字状
突起部が形成されているので、その略Ｌ字状突起部に沿ってフレキシブルケーブルの後端
部近傍を弯曲させるだけで、後側ループ部を確実に形成することができる。
【００１４】
請求項２に記載の発明は第２の実施の形態（図６参照）に対応するものであって、これ
によれば、請求項１に記載の発明とほぼ同じ効果を得ることができ、特に、後端板の横桁
部の下端縁から後向きに略Ｊ字状突起部が形成されているので、その略Ｊ字状突起部に沿
ってフレキシブルケーブルの後端部近傍を無理なく弯曲させて後側ループ部を確実に形成
することができる。
【００１５】
請求項３に記載の発明は基本形態を示すものであって、これによれば、フレキシブルケ
ーブルの両端部近傍に前側ループ部と後側ループ部とが形成されているから、レンズホル
ダをフォーカス方向に沿って駆動したときに、その前後両ループ部がたわみ支点になって
、該フレキシブルケーブルの弾性変位を小さく抑えることができ、また、レンズホルダの
駆動に応じて後側ループ部が拡縮径されることにより、前側ループ部の拡縮径が従来に比
べて格段に小さくなるので、従来のようにレンズホルダの後端部がピッチング運動を起こ
すことがなくなり、対物レンズの焦点をディスクに対して迅速に合わせることができる。
【００１６】
請求項４に記載の発明によれば、後端板の横桁部の下端縁から後向きに略Ｌ字状突起部
が形成されているので、その略Ｌ字状突起部に沿ってフレキシブルケーブルの後端部近傍
を弯曲させるだけで、後側ループ部を確実に形成することができる。
【００１７】
請求項５に記載の発明によれば、後端板の横桁部の下端縁から後向きに略Ｊ字状突起部
が形成されているので、その略Ｊ字状突起部に沿ってフレキシブルケーブルの後端部近傍
を無理なく弯曲させて後側ループ部を確実に形成することができる。
【発明を実施するための最良の形態】
【００１８】
図１〜図５は本発明の第１の実施の形態であるレンズアクチュエータを示すものであっ
て、後端板７が、アクトベース４の後端から切り起こした縦桁部７ａと、該縦桁部７ａの
先端から横方向に延びる横桁部７ｂとからなり、該横桁部７ｂの下端縁を後向きに折り曲
げて略Ｌ字状突起部１４が形成されており、フレキシブルケーブルＦの後端部を横桁部７
ｂの後端面に止着することにより、該フレキシブルケーブルＦの後端部近傍を略Ｌ字状突
起部１４に沿って弯曲させて後側ループ部Ｆｂが形成されている。上記以外の構成は図７
〜図１０に示す構成とほぼ同じであるから、同一部分に同一符号を付してその説明を省略
する。
【００１９】
上記構成において、フレキシブルケーブルＦを介して各コイル１，２に通電することに
より励磁して、レンズホルダ３をガイドシャフト５に沿ってフォーカス方向ａ，ｂとトラ
ッキング方向ｃ，ｄとに駆動し、対物レンズＯＬの焦点をディスクＤに合わせ所定のトラ
ックに追従させる。
【００２０】
ここで、レンズホルダ３をフォーカス方向ａ，ｂに沿って上昇させたときに〔図５（ａ
）参照〕、両ループ部Ｆａ，Ｆｂが拡径されると共に、該レンズホルダ３をフォーカス方
向ａ，ｂの沿って下降させたときに〔図５（ｂ）参照〕、両ループ部Ｆａ，Ｆｂが縮径さ
れることにより、その両ループ部Ｆａ，Ｆｂがたわみ支点になってフレキシブルケーブル
Ｆの弾性変位を吸収する。
【００２１】
また、レンズホルダ３のフォーカス方向ａ，ｂへの駆動により、後側ループ部Ｆｂが拡
縮径されることにより、前側ループ部Ｆａの拡縮径が格段に小さくなり、その前側ループ
部Ｆａの拡縮径作用がレンズホルダ３にほとんど影響を与えない。
【００２２】
上記構成よれば、フレキシブルケーブルＦの両端部近傍に前側ループ部Ｆａと後側ルー
プ部Ｆｂとが形成されているから、レンズホルダ３をフォーカス方向ａ，ｂに沿って駆動
したときに、その前後両ループ部Ｆａ，Ｆｂがたわみ支点になって、該フレキシブルケー
ブルＦの弾性変位を小さく抑えることができ、また、レンズホルダ３の駆動に応じて後側
ループ部Ｆｂが拡縮径されることにより、前側ループ部Ｆａの拡縮径が従来に比べて格段
に小さくなるので、従来のようにレンズホルダ３の後端部がピッチング運動を起こすこと
がなくなり、対物レンズＯＬの焦点をディスクＤに対して迅速に合わせることができる。
しかも、後端板７の横桁部７ｂの下端縁から後向きに略Ｌ字状突起部１４が形成されてい
るので、その略Ｌ字状突起部１４に沿ってフレキシブルケーブルＦの後端部近傍を弯曲さ
せるだけで、後側ループ部Ｆｂを確実に形成することができる。
【００２３】
図６（ａ）及び（ｂ）は、本発明の第２の実施の形態を示すものであって、横桁部７ｂ
の下端縁を後向きに折り曲げて略Ｊ字状突起部１５が形成されると共に、該略Ｊ字状突起
部１５の先端面１５ａが円弧状に形成されており、フレキシブルケーブルＦの後端部を横
桁部７ｂの後端面に止着することにより、該フレキシブルケーブルＦの後端部近傍を前記
略Ｊ字状突起部１５に沿って弯曲させて後側ループ部Ｆｂが形成されている。上記以外の
構成は第１の実施の形態（図１〜図５参照）とほぼ同じであるから、同一部分に同一符号
を付してその説明を省略する。
【００２４】
上記構成によれば、第１の実施の形態とほぼ同じ効果を得ることができ、特に、後端板
７の横桁部７ｂの下端縁から後向きに略Ｊ字状突起部１５が形成されているので、該略Ｊ
字状突起部１５に沿ってフレキシブルケーブルＦの後端部近傍を無理なく弯曲させて後側
ループ部Ｆｂを確実に形成することができる。
【図面の簡単な説明】
【００２５】
【図１】本発明の第１の実施の形態であるレンズアクチュエータの平面図である。
【図２】図１のＡ−Ａ矢視図である。
【図３】図１のＢ−Ｂ矢視図である。
【図４】同要部の斜視図である。
【図５】（ａ）はレンズホルダの上昇状態を示す要部の拡大縦断面図、（ｂ）は同下降状態を示す要部の拡大縦断面図である。
【図６】（ａ）は本発明の第２の実施の形態であるレンズアクチュエータを形成するレンズホルダの上昇状態を示す要部の拡大縦断面図、（ｂ）は同下降状態を示す要部の拡大縦断面図である。
【図７】従来例を示す平面図である。
【図８】図７のＣ−Ｃ矢視図である。
【図９】図７のＤ−Ｄ矢視図である。
【図１０】同要部の斜視図である。
【図１１】（ａ）は従来例におけるレンズホルダの上昇状態を示す要部の拡大縦断面図、（ｂ）は同下降状態を示す要部の拡大縦断面図である。
【図１２】（ａ）は従来の参考例におけるレンズホルダの上昇状態を示す要部の拡大縦断面図、（ｂ）は同下降状態を示す要部の拡大縦断面図である。
【符号の説明】
【００２６】
１        フォーカスコイル
２        トラッキングコイル
３        レンズホルダ
４        アクトベース
５        ガイドシャフト
６        マグネット
７        後端板
７ａ      縦桁部
７ｂ      横桁部
１４      略Ｌ字状突起部
１５      略Ｊ字状突起部
１５ａ    略Ｊ字状突起部の先端面
ＯＬ      対物レンズ
Ｆ        フレキシブルケーブル
Ｆａ      フレキシブルケーブルの前側ループ部
Ｆｂ      フレキシブルケーブルの後側ループ部
Ｄ        ディスク
ａ，ｂ    フォーカス方向
ｃ，ｄ    トラッキング方向
【図１】
2005302173.tif 000003
【図２】
2005302173.tif 000004
【図３】
2005302173.tif 000005
【図４】
2005302173.tif 000006
【図５】
2005302173.tif 000007
【図６】
2005302173.tif 000008
【図７】
2005302173.tif 000009
【図８】
2005302173.tif 000010
【図９】
2005302173.tif 000011
【図１０】
2005302173.tif 000012
【図１１】
2005302173.tif 000013
【図１２】
2005302173.tif 000014